(57)【要約】【課題】カートリッジ式替刃の取着を簡単に行うことができる長柄かみそりを提供する。【解決手段】替刃３００をホルダ１００に取着する際、刃台の裏面３０３ａに設けたリブ３２０に沿ってホルダ１００の固定挟着部材１４０を移動する。このとき、リブ３２０に可動挟着部材１３０を当てることにより、コイルスプリング１２１の付勢力に抗して、同リブ３２０を介して固定挟着部材１４０から可動挟着部材１３０を離間する方向へ移動させる。そして、被挟着面３２０ｂの係合穴３２０ｃに、可動挟着部材１３０の係入突起１３５が係入すると、替刃３００はホルダ１００に取着される。【選択図】      図１３
2005198898.tif 000002
【特許請求の範囲】
【請求項１】
刃台に剃刃を固定し、その刃台の裏面に、刃台の表裏方向に延びる一対の被挟着面を備えた係合部を形成するとともに、前記被挟着面の少なくとも一方には、同被挟着面と交差する方向に延びる被係入部を形成したカートリッジ式替刃を形成する一方、
同カートリッジ式替刃を取替え可能に支持固定するための一対の支持部材をホルダに設け、両支持部材のうち少なくとも一方を前記カートリッジ式替刃を支持する方向へ付勢する付勢部材を設け、
少なくとも一方の支持部材には前記被係入部に対して係入する係入部を形成したことを特徴とする長柄かみそり。
【請求項２】
前記ホルダには、前記カートリッジ式替刃の裏面に当接する当接面を形成したことを特徴とする請求項１に記載の長柄かみそり。
【請求項３】
前記当接面は、平面にて形成し、
前記ホルダには柄部を設け、前記柄部は、前記ホルダの当接面に対して、その断面形状が、当接面側に傾くように配置したことを特徴とする請求項２に記載の長柄かみそり。
【請求項４】
前記カートリッジ式替刃には、前記刃台に固着したキャップ部材の皮膚に接触する表面と、刃先前方に設けた保護部材の皮膚に接触する表面とを結ぶ想像線により、ひげそり接線Ｘを形成し、前記当接面を前記カートリッジ式替刃のひげそり接線Ｘに対して平行となるように合わせたことを特徴とする請求項３に記載の長柄かみそり。
【請求項５】
前記両支持部材のうち、一方は、ホルダに固定された固定挟着部材であり、他方はホルダに設けられた可動挟着部材であることを特徴とする請求項１乃至請求項４のうちいずれか１項に記載の長柄かみそり。
【発明の詳細な説明】
【技術分野】
【０００１】
本発明は、長柄かみそり、特に替刃を取替え可能としたレザータイプの長柄かみそりに関するものである。
【背景技術】
【０００２】
一般に、人が他人のひげを剃る場合、Ｔ型かみそりを用いると、その柄を握った手が邪魔になって、剃刃の刃先位置を視認することができないため、長柄かみそりを使用する。しかし、このような長柄かみそりを素人が使用したときには、人の皮膚を傷つける危険性が非常に高い。そこで、安全なかみそりとしてＴ型かみそりで使用されているような安全なカートリッジ式替刃を使用できる長柄かみそりが望まれている。特に床屋では、新人に通常の長柄かみそり・レーザーを使用させる代わりにこのカートリッジ式替刃を使用し得る長柄かみそりの刃として、刃台に対して剃刃を一体的に固着したいわゆるカートリッジ式替刃を使用した技術がある（特許文献１）。
【特許文献１】実公平２−２２７７号公報
【発明の開示】
【発明が解決しようとする課題】
【０００３】
特許文献１では、長柄の先端にホルダが設けられ、同ホルダには、ホルダ先端側に固定挟着部材が設けられている。又、ホルダの基端側（すなわち、長柄側）には固定挟着部材に対して接近自在に可動挟着部材が設けられている。可動挟着部材は、固定挟着部材と協働して替刃を挟着するように挟着方向にバネにより付勢されている。そして、可動挟着部材と、固定挟着部材との間にカートリッジ式替刃の配置して、同替刃の両端をそれぞれ前記可動挟着部材と固定挟着部材とにて、挟着するようにしている。なお、前記替刃の両端面には、それぞれ係入凹部が設けられ、各係入凹部には、可動挟着部材と固定挟着部材にそれぞれ設けられた係合突部が係合可能にされている。
【０００４】
特許文献１では、替刃ケースに収納されたカートリッジ式替刃をホルダに取着する際に、下記のように行っていた。なお、カートリッジ式替刃の各端部と、替刃ケースの側壁との間には、固定挟着部材、及び可動挟着部材がそれぞれ係入可能な狭い間隙が設けられている。まず、第１段階として、長柄からは遠位である固定挟着部材の係合突部を替刃ケース内にあるカートリッジ式替刃の一端側の係入凹部に係入させる。次に、第２段階として、長柄からは近位である可動挟着部材の係合突部を前記バネの付勢力に抗してカートリッジ式替刃の他端側の係入凹部に係入させる。
【０００５】
なお、長柄から遠位である固定挟着部材を可動挟着部材よりも先にカートリッジ式替刃に係合する理由は、固定挟着部材側を先にカートリッジ式替刃に係合した方が、可動挟着部材を先に替刃に整合するよりも、確実に係合できるとともに、替刃に対して係合しやすいためである。
【０００６】
しかし、従来は、替刃ケースに収納されたカートリッジ式替刃を取着する際には、カートリッジ式替刃の各端部に設けられた係入凹部に対して各挟着部材の係合突部を合わせるように２段階で行う必要があるため、面倒であった。
【０００７】
本発明は、前述した事情に鑑みてなされたものであって、その目的は、カートリッジ式替刃の取着を簡単に行うことができる長柄かみそりを提供することにある。
【課題を解決するための手段】
【０００８】
上記目的を達成するために、請求項１に記載の発明は、刃台に剃刃を固定し、その刃台の裏面に、刃台の表裏方向に延びる一対の被挟着面を備えた係合部を形成するとともに、前記被挟着面の少なくとも一方には、同被挟着面と交差する方向に延びる被係入部を形成したカートリッジ式替刃を形成する一方、同カートリッジ式替刃を取替え可能に支持固定するための一対の支持部材をホルダに設け、両支持部材のうち少なくとも一方を前記カートリッジ式替刃を支持する方向へ付勢する付勢部材を設け、少なくとも一方の支持部材には前記被係入部に対して係入する係入部を形成したことを特徴とする長柄かみそりを要旨とするものである。
【０００９】
請求項２の発明は、請求項１において、前記ホルダには、前記カートリッジ式替刃の裏面に当接する当接面を形成したことを特徴とする。
請求項３の発明は、請求項２において、前記当接面は、平面にて形成し、前記ホルダには柄部を設け、前記柄部は、前記ホルダの当接面に対して、柄部の断面形状が、当接面側に傾くように配置したことを特徴とする。
【００１０】
請求項４の発明は、請求項３において、前記カートリッジ式替刃には、前記刃台に固着したキャップ部材の皮膚に接触する表面と、刃先前方に設けた保護部材の皮膚に接触する表面とを結ぶ想像線により、ひげそり接線Ｘを形成し、前記当接面を前記カートリッジ式替刃のひげそり接線に対して平行となるように合わせたことを特徴とする。
【００１１】
請求項５の発明は、請求項１乃至請求項４のうちいずれか１項において、前記両支持部材のうち、一方は、ホルダに固定された固定挟着部材であり、他方はホルダに設けられた可動挟着部材であることを特徴とする。
【００１２】
（作用）
請求項１に記載の発明によれば、カートリッジ式替刃をホルダに取着する際、刃台の裏面に設けた係合部に沿ってホルダの一方の支持部材を配置する。このとき、ホルダの他方の支持部材は、付勢部材の付勢力に抗して、一方の支持部材から離間する方向へ移動させる。この他方の支持部材の移動の仕方は、手で直接操作してもよく、或いは、前記係合部に他方の支持部材を当てることにより、同係合部を介して一方の支持部材から他方の支持部材を離間する方向へ移動させるようにしてもよい。
【００１３】
少なくとも一方に設けた被挟着面の被係入部に対して、少なくとも一方の支持部材の係入部が対応して、被係入部に係入すると、カートリッジ式替刃はホルダに取着される。この場合、ホルダへのカートリッジ式替刃の取着は、一方の支持部材を係合部に沿って移動するだけで、ワンタッチで行うことができ、従来と異なり、カートリッジ式替刃の両端に対してそれぞれ支持部材を２段階で係合させる必要がない。
【００１４】
請求項２の発明によれば、ホルダに形成した当接面にてカートリッジ式替刃をその裏面側から当接することにより、一対の支持部材と協働して、同カートリッジ式替刃を、ガタ無く保持できる。
【００１５】
請求項３の発明によれば、ホルダの当接面に対して、柄部の断面形状が、当接面側に傾いて配置されていることにより、柄部がホルダの当接面に対して傾けられた分、使用者が人の髭を剃る際に、柄部を持った手の傾き操作が軽減される。すなわち、仮に、ホルダの当接面に対して、柄部の断面形状が、当接面側に傾いていない場合には、人の髭を剃る際に、柄部を持った手を手前に傾き操作する必要があるが、請求項３の発明によれば、そのような傾き操作が軽減できる。
【００１６】
請求項４の発明によれば、当接面がカートリッジ式替刃のひげそり接線Ｘに対して平行となっているため、使用者は、髭剃り時において、ひげそり接線の皮膚に対する当たり具合を知る際に、当接面を見ることによっても確認することができる。
【００１７】
請求項５の発明によれば、両支持部材のうち、一方は、ホルダに固定された固定挟着部材であり、他方はホルダに設けられた可動挟着部材とすることにより、請求項１乃至請求項４のいずれかの作用を実現する。
【発明の効果】
【００１８】
本発明によれば、従来と異なり、ホルダに対してカートリッジ式替刃の取着をワンタッチで簡単に行うことができる効果を奏する。
【発明を実施するための最良の形態】
【００１９】
以下、本発明を具体化した一実施形態を図１〜図１４を参照して説明する。図１は長柄かみそりの斜視図、図２は同じく底面図、図３は同じく正面図、図４は同じく平面図である。図５（ａ）は可動体を省略したホルダの要部拡大図、図５（ｂ）はホルダ及び可動体の要部拡大図である。図７はホルダにカートリッジ式替刃を取着した状態を示す説明図である。図８（ａ）は長柄かみそりの拡大側面図、図８（ｂ）は図２のＢ−Ｂ線断面図である。なお、本実施形態では、図３の正面図を基準にして、図に示すように上下という。
【００２０】
長柄かみそりＫはホルダ１００及び把手部２００を備えている。ホルダ１００は基端部が正四角柱状に形成されている。図３に示すようにホルダ１００の中央部から先端部は、基端部よりも厚みが略半分となるように略下半分が切り落とし形成されて、平板状の取付部１０１が形成されている。
【００２１】
図５（ａ）、図５（ｂ）及び図１３に示すように、取付部１０１の下面１０１ａは平面に形成されている。取付部１０１の下面１０１ａは、本発明の当接面に相当する。取付部１０１の下面１０１ａには、断面略四角形状をなすガイド凹部１０２が形成され、取付部１０１の中央部から基端側にかけて延出されている。スライド孔１０３は、取付部１０１の上面において、ガイド凹部１０２に連通するように形成されている。図５（ａ）に示すように、スライド孔１０３は、ガイド凹部１０２よりも両側間が幅狭く、かつ、ガイド凹部１０２の長さよりも短く形成されている。
【００２２】
スライダ１０４は、スライド孔１０３内に対してその長さ方向に移動自在に下部が嵌入されている。スライダ１０４の上部は、スライド孔１０３から上方に突出されている。スライダ１０４の上部の把手部側端部及び反把手部側端部は、図６に示すように取付部１０１の上面に摺接可能に張り出し形成されている。スライダ１０４の上面は、指当て面１０５とされ、把手部側端部へいくほど高くなるように形成されるとともに、多数の滑り止め突条１０６が形成されている。
【００２３】
可動体１１０は、スライダ１０４の下面に対してビス１０７にて締め付け固定されており、図５（ｂ）、及び図６に示すようにガイド凹部１０２内において、ガイド凹部１０２の長手方向に沿って往復移動自在に嵌合されている。可動体１１０は直方体状に形成されている。可動体１１０の上面は、ガイド凹部１０２の内頂面に摺接自在に当接されている。可動体１１０は、スライダ１０４上部の把手部側端部及び反把手部側端部が取付部１０１の上面に係合され、かつ、可動体１１０の上面が、ガイド凹部１０２の内頂面に係合することにより、ガイド凹部１０２からの脱落が防止されている。又、可動体１１０の下面は、図６に示すように取付部１０１の下面１０１ａと面一となるように形成されている。可動体１１０は、その先端がガイド凹部１０２の反把手部側内側面に当接する位置まで、移動可能である。そして、可動体１１０はビス１０７にて取付けされることにより、スライダ１０４と一体にガイド凹部１０２と一体に移動可能である。
【００２４】
可動体１１０の基端面には、バネ収納凹部１２０が穿設されている。バネ収納凹部１２０内には、付勢部材としてのコイルスプリング１２１の一部が収納されている。コイルスプリング１２１は、その基端がガイド凹部１０２の把手部側内側面に当接されており、可動体１１０を反把手部側内側面へ押圧付勢している。
【００２５】
可動体１１０の下面には、支持部材としての可動挟着部材１３０が下方へ突設されている。可動挟着部材１３０の先端（下端）には、係入部としての係入突起１３５が反把手部側へ突出されている。又、取付部１０１の下面１０１ａにおいて、ガイド凹部１０２に近接した位置には、支持部材としての固定挟着部材１４０が下方へ突設されている。固定挟着部材１４０は、図８（ａ）に示すように、取付部１０１の幅方向において、先細り形状となるように一対のテーパ面１４４を備えた山形状に形成されている。固定挟着部材１４０の先端（下端）において、把手部側及び反把手部側には、テーパ面１４５がそれぞれ形成されている。可動体１１０が、ガイド凹部１０２の反把手部側内側面に当接する位置（以下、当接位置という）に位置したときに、可動挟着部材１３０の係入突起１３５と、固定挟着部材１４０との間には挿入空間Ｓが形成されるようにされている（図６参照）。
【００２６】
把手部２００は、ホルダ１００の基端から延出された柄部２１０と、同柄部２１０を被覆する合成樹脂製のカバー部材２２０とを備えている。
柄部２１０は、図８（ｂ）に示すように横断面が略長方形状に形成され、緩いカーブを描くように湾曲形成されている。なお、図８（ｂ）の断面図では、柄部２１０の軸心Ｏ１は、ホルダ１００の軸心Ｏ２と一致する位置で断面としている。本実施形態では、ホルダ１００の軸心Ｏ２は基端部が正四角柱状とされており、軸心Ｏ２をこの正四角形の中心と一致させている。又、柄部２１０は、基端側が湾曲されているため、図８（ａ）に示すように全体として側面視した場合には、同図に示すように、ホルダ１００の軸心Ｏ２と交差しているように見える。
【００２７】
本実施形態では、図８（ｂ）に示すように、柄部２１０の断面形状である長方形の短手方向の長さの２分割線Ｐを想定したとき、この２分割線Ｐが、取付部１０１の下面１０１ａに対して所定角度θをなすように柄部２１０が傾いている。所定角度θとしては、本実施形態では、２５度としているが、この値に限定するものではない。例えば、所定角度θとして１５度〜３５度の範囲、好ましくは、２０度〜３０度の範囲がよい。
【００２８】
次に、長柄かみそりＫに取着されるカートリッジ式替刃（以下、単に替刃という）の概略構成を説明する。図９は替刃の斜視図、図１０は同じく替刃の横断面図、図１１は、替刃の底面図、図１２は同じく替刃の縦断面図である。
【００２９】
図９に示すように、替刃３００は、キャップ部材３０１、刃台３０３、剃刃３０５を備えている。刃台３０３の上には剃刃３０５が載置され、剃刃３０５は刃台３０３とキャップ部材３０１に挟着されている。なお、本実施形態では、剃刃３０５は３枚であるが１枚以上であればよく、又、剃刃３０５が複数の場合は剃刃３０５と剃刃３０５との間にはスペーサ３０６が配置されている。替刃３００は、剃刃３０５の刃先３０９の前方に回転可能なローラ３０７を備えており、本実施形態では、ローラ３０７はキャップ部材３０１の表面側の前部に配設されている。
【００３０】
剃刃３０５の刃先３０９とローラ３０７との間には保護部材３１０が配設されている。保護部材３１０は少なくとも皮膚に接する表面に上方へ伸びるリブ状の突起３１１が形成されている。保護部材３１０は可塑性樹脂（好ましくはエラストマ樹脂）などで形成されて可撓性を備え、ひげそり時に皮膚と接触して適宜に変形するようにされている。替刃３００には、ひげそり時にはキャップ部材３０１の皮膚に接触する表面３０２ａ（キャップ部材３０１の表面）とローラ３０７周面の皮膚に接触する上面部３０７ａ（「ローラ周面の上面部」）を結ぶ想像線によりひげそり接線Ｘが形成されている（図１０参照）。本実施形態では、この場合、ローラ３０７と剃刃３０５の刃先３０９との間に配設された保護部材３１０の皮膚と接触する表面の少なくとも一部がひげそり接線Ｘに一致している。
【００３１】
刃台３０３の裏面において、その長手方向の中央部位（リブ３２０）を挟んで、同長手方向の両側には、一対の係合凹部３２１、３２２が前記中央部位を対称軸として線対称に形成されている。係合凹部３２１，３２２の長手方向の長さは、固定挟着部材１４０の長手方向の長さと略同一とされ、係合凹部３２１，３２２の短手方向の長さは固定挟着部材１４０の短手方向の長さと略同一とされることにより、固定挟着部材１４０が嵌脱可能にされている。両係合凹部３２１，３２２に挟まれた刃台３０３の裏面側部位は、係合部としてのリブ３２０とされている。リブ３２０は、図１２に示すように、刃台３０３の表裏方向に延びるように形成されている。リブ３２０の図１２に示すように断面形状は矢印形状とされており、先端（刃台３０３の裏面側の端部）の両側には、テーパ状のガイド面３２０ａが形成されている。
【００３２】
リブ３２０の両側面は、それぞれ被挟着面３２０ｂとされている。挿入空間Ｓの幅（係入突起１３５と固定挟着部材１４０との離間距離）は、両被挟着面３２０ｂ間の距離（リブ３２０の最大幅）よりも短くされている。又、両被挟着面３２０ｂには、同被挟着面３２０ｂとは交差する方向に、被係入部としての係合穴３２０ｃが延出されている。両係合穴３２０ｃには、可動挟着部材１３０の係入突起１３５が係入可能にされている。
【００３３】
可動体１１０がコイルスプリング１２１にて付勢されて当接位置に位置したときには、可動挟着部材１３０が、一方の被挟着面３２０ｂに当接するとともに、固定挟着部材１４０が他方の被挟着面３２０ｂに当接して、両部材によりリブ３２０が挟着される。すなわち、替刃３００が両部材にて支持された支持状態となる。
【００３４】
又、本実施形態では、替刃３００を、長柄かみそりＫのホルダ１００に取着した際に、刃台３０３の裏面３０３ａが、図１４に示すように当接面である取付部１０１の下面１０１ａに当接し得るように、係入突起１３５の下面１０１ａからの高さＨが設定されている（図１３参照）。すなわち、図１４に示すように係入突起１３５が、係合穴３２０ｃに係入してリブ３２０を拘束することにより、替刃３００が、ホルダ１００から離脱不能となる。又、この支持状態で、ひげそり接線Ｘが、図５（ｂ）に示すように取付部１０１の下面１０１ａ（当接面）と平行に配置されるように、刃台３０３の裏面３０３ａが形成されている。
【００３５】
さて、上記のように構成された長柄かみそりＫの作用を説明する。なお、説明の便宜上、替刃３００は、図示しない替刃ケース内に収納されているとともに、裏面側が替刃ケースから露出配置されているものとする。
【００３６】
図６に示すように、替刃３００を取着していない状態では、可動体１１０は当接位置に位置し、可動挟着部材１３０の係入突起１３５と、固定挟着部材１４０との間には挿入空間Ｓが形成されている。この状態で、長柄かみそりＫに替刃３００を取着する際には、挿入空間Ｓを、替刃３００のリブ３２０に対して対向位置する。そして、ホルダ１００を替刃３００に対して押圧する。挿入空間Ｓの幅（係入突起１３５と固定挟着部材１４０との離間距離）が、両被挟着面３２０ｂ間の距離（リブ３２０の最大幅）よりも短くされているため、固定挟着部材１４０は、リブ３２０のガイド面３２０ａに、テーパ面１４５が当接してガイドされて、係合凹部３２１内に係入される。一方、可動挟着部材１３０は、リブ３２０のガイド面３２０ａに、係入突起１３５が当接してガイドされて、コイルスプリング１２１の付勢力に抗して固定挟着部材１４０から離間する。
【００３７】
そして、ホルダ１００がさらに替刃３００に押圧されると、固定挟着部材側の係合凹部３２１には固定挟着部材１４０の嵌合が完了される。又、可動挟着部材側の係合凹部３２２内では、係入突起１３５が、係合穴３２０ｃに対向すると、コイルスプリング１２１の付勢力により、可動体１１０が、固定挟着部材側に移動して、ガイド凹部１０２の反把手部側内側面に当接する当接位置に位置する。この状態では、図１４に示すように係入突起１３５が、係合穴３２０ｃに係入してリブ３２０を拘束することにより、替刃３００が、ホルダ１００から離脱不能となる。又、可動体１１０がコイルスプリング１２１にて付勢されて当接位置に位置したときには、可動挟着部材１３０が、一方の被挟着面３２０ｂに当接するとともに、固定挟着部材１４０が他方の被挟着面３２０ｂに当接して、両部材によりリブ３２０が挟着される。すなわち、替刃３００が両部材にて支持された支持状態となる。さらに、この支持状態では、刃台３０３の裏面３０３ａが、取付部１０１の下面１０１ａに当接することにより、ひげそり接線Ｘが、図５（ｂ）に示すように取付部１０１の下面１０１ａ（当接面）と平行に配置される。
【００３８】
上記の替刃３００のホルダ１００に対する取着は、ホルダ１００を替刃３００のリブ３２０を目標にして押圧することにより、ワンタッチで行うことができる。
なお、ホルダ１００取着した替刃３００を交換する際には、図１３に示すように、コイルスプリング１２１の付勢力に抗してスライダ１０４を操作し、可動体１１０を介して可動挟着部材１３０を固定挟着部材１４０から離間する方向に移動させる。すると、可動挟着部材１３０の係入突起１３５が係合穴３２０ｃから脱することにより、リブ３２０の拘束が解除されるため、替刃３００をホルダ１００から取りはずことができる。
【００３９】
なお、前述の説明では、ワンタッチで替刃３００をホルダ１００に取着することを説明したが、スライダ１０４を操作して、図１３の状態（係合穴３２０ｃから係入突起１３５が離間した状態）とした上で、替刃３００を取着することもできる。
【００４０】
従って、本実施形態によれば、以下のような効果を得ることができる。
（１）  本実施形態では、替刃３００をホルダ１００に取着する際、刃台３０３の長手方向の裏面中央に設けたリブ３２０（係合部）に沿ってホルダ１００の固定挟着部材１４０（一方の支持部材）を移動する。このとき、ホルダ１００の可動挟着部材１３０（他方の支持部材）は、コイルスプリング１２１（付勢部材）の付勢力に抗して、固定挟着部材１４０から離間する方向へ移動させる。この可動挟着部材１３０の移動の仕方は、手で直接操作するか、或いは、リブ３２０に可動挟着部材１３０を当てることにより、同リブ３２０を介して固定挟着部材１４０から可動挟着部材１３０を離間する方向へ移動させる。そして、一方に設けた被挟着面３２０ｂの係合穴３２０ｃ（被係入部）に対して、可動挟着部材１３０の係入突起１３５（係入部）が対応して、係合穴３２０ｃに係入すると、替刃３００はホルダ１００に取着される。この場合、ホルダ１００への替刃３００の取着は、固定挟着部材１４０をリブ３２０に沿って移動するだけで、ワンタッチで行うことができる。
【００４１】
（２）  本実施形態では、ホルダ１００に形成した取付部１０１の下面１０１ａ（当接面）にて替刃３００をその裏面側から当接することにより、固定挟着部材１４０と可動挟着部材１３０と協働して、替刃３００を、ガタ無く保持できる効果を奏する。
【００４２】
（３）  本実施形態では、ホルダ１００の取付部１０１の下面１０１ａ（当接面）に対して、柄部２１０は、その断面形状が取付部１０１の下面１０１ａ側に傾くように配置されている。このため、柄部２１０（ひいては把手部２００）がホルダ１００の取付部１０１の下面１０１ａに対して傾けられた分、使用者が人の髭を剃る際に、柄部２１０を持った手の傾き操作が軽減できる。
【００４３】
（４）  本実施形態では、ホルダ１００の取付部１０１の下面１０１ａ（当接面）が替刃３００のひげそり接線Ｘに対して平行となっているため、使用者は、髭剃り時において、ひげそりひげそり接線Ｘの皮膚に対する当たり具合を知る際に、ホルダ１００の取付部１０１の下面１０１ａ（当接面）を見ることによっても確認することができる。
【００４４】
なお、前記実施形態は、以下の別の態様に変更してもよい。
・  前記実施形態では、柄部２１０の断面を長方形状としたが、正方形状でもよい。又、楕円形状であってもよい。この場合、楕円の長軸が取付部１０１の下面１０１ａに対して所定角度θとなるように傾けるものとする。このように、断面が長方形状や、楕円形状の場合を、本明細書では扁平形状といい、この横断面が扁平形状を有する柄部とした場合、柄部を取付部１０１の下面１０１ａ（当接面）に対して傾けるようにする。
【００４５】
・  前記視実施形態では、被係入部として係合穴３２０ｃとしたが、貫通孔としてもよい。
・  前記実施形態の長柄かみそりＫで説明した、右ききの人が使用できるように替刃３００を装着している。替刃３００の向きを前記実施形態とは１８０度反対にして装着すれば、左ききの人が使用可能な長柄かみそりとすることができる。
【００４６】
・  前記実施形態では、両支持部材のうち、一方を固定挟着部材としたが、両支持部材を可動挟着部材としてもよい。この場合には、両支持部材を互いに挟着方向にそれぞれ付勢部材で付勢するものとする。又、この場合、両支持部材に係入突起１３５を設けてもよい。
【００４７】
・  又、前記実施形態において、固定挟着部材１４０と、可動挟着部材１３０の位置関係を互いに入れ替えたものとしてもよい。
・  前記付勢部材としてはコイルスプリングとしたが、板バネ等の他の弾性部材にて構成するようにしてもよい。
【図面の簡単な説明】
【００４８】
【図１】長柄かみそりの斜視図。
【図２】同じく正面図。
【図３】同じく平面図。
【図４】同じく背面図。
【図５】（ａ）は可動体を省略したホルダの要部拡大図、（ｂ）はホルダ及び可動体の要部拡大図。
【図６】ホルダの図２のＡ−Ａ線断面図。
【図７】ホルダにカートリッジ式替刃を取着した状態を示す説明図。
【図８】（ａ）は拡大側面図、（ｂ）は図２のＢ−Ｂ線断面図。
【図９】カートリッジ式替刃の斜視図。
【図１０】同じく横断面図。
【図１１】カートリッジ式替刃の底面図。
【図１２】同じくカートリッジ式替刃の縦断面図。
【図１３】カートリッジ式替刃をホルダに取着するときの説明図。
【図１４】カートリッジ式替刃をホルダに取着するときの説明図。
【符号の説明】
【００４９】
Ｋ…長柄かみそり
Ｘ…ひげそり接線
１００…ホルダ
１０１…取付部
１０１ａ…下面（当接面）
１２１…コイルスプリング（付勢部材）
１３０…可動挟着部材（支持部材）
１３５…係入突起（係入部）
１４０…固定挟着部材（支持部材）
２００…把手部
２１０…柄部
３００…替刃
３０１…キャップ部材
３０２ａ…表面
３０３…刃台
３０３ａ…裏面
３０５…剃刃
３０９…刃先
３１０…保護部材
３２０…リブ（係合部）
３２０ｂ…被挟着面
３２０ｃ…係合穴（被係入部）
【図１】
2005198898.tif 000003
【図２】
2005198898.tif 000004
【図３】
2005198898.tif 000005
【図４】
2005198898.tif 000006
【図５】
2005198898.tif 000007
【図６】
2005198898.tif 000008
【図７】
2005198898.tif 000009
【図８】
2005198898.tif 000010
【図９】
2005198898.tif 000011
【図１０】
2005198898.tif 000012
【図１１】
2005198898.tif 000013
【図１２】
2005198898.tif 000014
【図１３】
2005198898.tif 000015
【図１４】
2005198898.tif 000016